(57)【要約】【課題】組み立ての容易化を図ることができる高圧放電ランプを提供する。【解決手段】導体５１の線輪部５１ａに、線輪部５１ａの中心軸Ｊ２に向かいながら、線輪部５１ａの中心軸Ｊ２に直交する仮想平面Ｓ１に対して線輪部５１ａから遠ざかる方向に傾斜した延長線部５１ｃが連設され、延長線部５１ｃの先端が封止部１１における金属箔２３が内部に封止された部位ＡＲの表面に接触または近接している。【選択図】図１
2014086371.tif 000002
【特許請求の範囲】
【請求項１】
内部に放電空間が形成された発光部および当該発光部から互いに離れる方向に延出する一対の封止部を有する発光管と、電極および当該電極における前記放電空間内に位置する一端とは反対側の他端に接続された金属箔を有し前記一対の封止部それぞれの内部に少なくとも前記金属箔が封止された状態で配置された一対の電極構造体と、一方の封止部の外周に巻回された螺旋状の線輪部および前記線輪部の一端から延出し且つ前記発光部の外周を迂回して他方の封止部に封止された電極構造体に接続された延出部を有する始動電圧低減用の導体とを備える高圧放電ランプであって、
前記導体の前記線輪部の他端に、前記線輪部の中心軸に向かいながら、前記線輪部の中心軸に直交する直交仮想平面に対して前記線輪部から遠ざかる方向に傾斜した延長線部が連設され、当該延長線部の先端が前記一方の封止部における前記金属箔が内部に封止された部位の表面に接触または近接している
ことを特徴とする高圧放電ランプ。
【請求項２】
前記延長線部の先端は、前記平行仮想平面内に位置し、
前記線輪部における前記他端と、前記線輪部の中心軸および前記線輪部の他端を含む前記中心軸に平行な平行仮想平面で切って得られる断面において前記線輪部のうち前記中心軸を挟んで前記他端が位置する側とは反対側に並ぶ複数の部位の中で前記先端に最も近い第１部位と、
前記延長線部の先端と、前記平行仮想平面で切って得られる断面において前記線輪部のうち前記中心軸を挟んで前記先端が位置する側と同じ側に並ぶ複数の部位の中で前記線輪部の一端に最も近い第２部位と、を結ぶ仮想直線との間の最短距離である第１距離をＡとし、前記先端と前記第２部位との間の、前記中心軸に直交する方向における第２距離をＢとし、
前記第２部位と前記先端との間の、前記中心軸に沿った方向における距離をａとし、
前記第１部位と前記第２部位との間の、前記中心軸に沿った方向における距離をＷとし、
前記線輪部の内径をＲとしたときに、ａ／Ｂをα、β＝Ｗ／Ｂ、γ＝Ｒ／Ｂ
下記式（Ａ）の関係式が成立する
【数４】
2014086371.tif 000006
・・・式（Ａ）
2014086371.tif 000007
ことを特徴とする請求項１記載の高圧放電ランプ。
【請求項３】
下記式（Ｂ）の関係式が成立する
【数５】
2014086371.tif 000008
・・・式（Ｂ）
ことを特徴とする請求項２記載の高圧放電ランプ。
【請求項４】
前記延出部の一部は、前記封止部の外面に沿って配置されている
ことを特徴とする請求項１乃至３のいずれか１項に記載の高圧放電ランプ。
【請求項５】
前記延長線部は、円柱状であり且つ先端に前記延長線部の中心軸に対して直交する面が形成されてなる
ことを特徴とする請求項１乃至４のいずれか１項に記載の高圧放電ランプ。
【請求項６】
前記線輪部の中心軸に沿った方向から見て、前記延長線部は、前記平行仮想平面に対して傾斜している
ことを特徴とする請求項１乃至５のいずれか１項に記載の高圧放電ランプ。
【請求項７】
請求項１乃至６のいずれか１項に記載の高圧放電ランプを備える
ことを特徴とするプロジェクタ。
【発明の詳細な説明】
【技術分野】
【０００１】
本発明は、高圧放電ランプおよび当該高圧放電ランプを用いたプロジェクタに関し、特に、組み立ての容易化に関するものである。
【背景技術】
【０００２】
従来から、高圧放電ランプの始動電圧を下げるために、発光管の外周面の一部に高圧放電ランプの始動を補助するための導体を取付けることが行われている（特許文献１参照）。すると、高圧放電ランプの始動時、導体の先端と発光管の外面との間で生じる沿面放電やコロナ放電に起因して生じる紫外線が発光管内の放電空間に照射されることにより、放電空間内の光電子が増加し、電極間で放電が生じ易くなる。
【０００３】
従来例に係る高圧放電ランプ１００１について、発光管３に導体１０５１を取り付ける工程を説明するための図を図１４（ａ）および（ｂ）に示す。
図１４（ａ）に示すように、導体１０５１は、螺旋状に形成された線輪部５１ａと、線輪部の一端から延出する延出部１０５１ｂと、線輪部５１ａの他端に連設され先端が発光管３の表面に接触している延長線部１０５１ｃとを有する。ここで、延長線部１０５１ｃは、線輪部５１ａの中心軸Ｊ２に直交する方向に延伸している。そして、延長線部１０５１ｃの先端と発光管３の封止部１１の外面に確実に接触させるために、延長線部１０５１ｃの先端と線輪部５１ａの中心軸Ｊ２とを含む仮想平面内において、上記先端と、線輪部５１ａのうち中心軸Ｊ２に対して上記先端側とは反対側に位置する部位の中で上記先端に最も近い部位との間の、中心軸Ｊ２に直交する方向における距離Ｂ０が、封止部１１の径ｒに比べて若干短くなっている。
【０００４】
そして、発光管３に導体１０５１を取り付ける際、発光管３の封止部１１を導体１０５１の線輪部５１ａの中心軸Ｊ２に沿って、線輪部５１ａにおける延出部１０５１ｂに連続する側から線輪部５１ａの内側に挿入する（図１４（ａ）中の矢印参照）。
【先行技術文献】
【特許文献】
【０００５】
【特許文献１】特開２００９−１８１９２７号公報
【発明の概要】
【発明が解決しようとする課題】
【０００６】
ところで、発光管３に導体１０５１を取り付ける際、距離Ｂ０が封止部１１の径Ｒに比べて若干短くなっているので、延長線部１０５１ｃの先端が封止部１１の端面１１ａに引っ掛かってしまうことがある。そして、図１４（ｂ）に示すように、延長線部１０５１ｃの先端が封止部１１の端面１１ａに引っ掛かった状態で発光管３を線輪部５１ａの中心軸Ｊ２に沿って押し込むと、線輪部５１ａが変形してしまうおそれがある。
【０００７】
また、従来は、高圧放電ランプ１００１の組立作業を行う作業者は、延長線部１０５１ｃの先端が封止部１１の端面１１ａに引っ掛からないように、線輪部５１ａの径を広げた状態で保持しつつ発光管３を線輪部５１ａに挿入する等工夫して作業を行う必要があり、組み立て作業が煩雑なものとなっていた。
本発明は、上記事由に鑑みてなされたものであり、組み立ての容易化を図ることができる高圧放電ランプを提供することを目的とする。
【課題を解決するための手段】
【０００８】
本発明に係る高圧放電ランプは、内部に放電空間が形成された発光部および当該発光部から互いに離れる方向に延出する一対の封止部を有する発光管と、電極および当該電極における前記放電空間内に位置する一端とは反対側の他端に接続された金属箔を有し一対の封止部それぞれの内部に少なくとも前記金属箔が封止された状態で配置された一対の電極構造体と、一方の封止部の外周に巻回された螺旋状の線輪部および線輪部の一端から延出し且つ発光部の外周を迂回して他方の封止部に封止された電極構造体に接続された延出部を有する始動電圧低減用の導体とを備える高圧放電ランプであって、導体の線輪部の他端に、線輪部の中心軸に向かいながら、線輪部の中心軸に直交する直交仮想平面に対して線輪部から遠ざかる方向に傾斜した延長線部が連設され、当該延長線部の先端が前記一方の封止部における前記金属箔が内部に封止された部位の表面に接触または近接している。
【発明の効果】
【０００９】
本構成によれば、延長線部が、線輪部の中心軸に向かいながら、線輪部の中心軸に直交する直交仮想平面に対して線輪部から遠ざかる方向に傾斜している。これにより、発光管の封止部を導体の線輪部の他端側から線輪部の内側に挿入する際、中心軸に対して斜め方向からみた線輪部開口を中心軸方向からみたものより大きくすることができる。さらに封止部の延伸方向における端面を延長線部の側面に接触した状態から延長線部に対して線輪部の中心軸方向に力を加えると、その力の一部が延長線部を線輪部の中心軸から遠ざかる方向に逃げ、延長線部の先端と当該先端と線輪部の中心軸を挟んで対向する線輪部の内側との間の距離が広がるので、その分、延長線部の先端が封止部の延伸方向における端面に引っ掛かりにくくなっている。従って、高圧放電ランプの組立作業を行う作業者にとって、発光管を線輪部に挿入する作業が容易になるので、その分、組み立ての容易化を図ることができる。
【図面の簡単な説明】
【００１０】
【図１】実施の形態１に係る高圧放電ランプの構成を示す図である。
【図２】実施の形態１に係る電極部分の拡大図である。
【図３】実施の形態１に係る高圧放電ランプについて、（ａ）は側面図、（ｂ）は（ａ）におけるＸ−Ｘ断面の矢視図、（ｃ）は（ａ）における一点鎖線で囲んだ部分の拡大図である。
【図４】比較例に係る高圧放電ランプについて、（ａ）は側面図、（ｂ）は（ａ）における一点鎖線で囲んだ部分の拡大図である。
【図５】実施の形態１に係る高圧放電ランプを用いたランプユニットの一部破断した斜視図である。
【図６】実施の形態１に係る導体について、（ａ）は斜視図、（ｂ）は側面図である。
【図７】実施の形態１に係る導体について、（ａ）は概略側面図、（ｂ）は導体の形状と先端、第１部位および第２部位との関係を模式的に示した図である。
【図８】実施の形態１に係る導体について、（第１距離）／（第２距離）の値の第３距離依存性を示す図である。
【図９】実施の形態１に係る高圧放電ランプの組み立て工程を説明するための図である。
【図１０】実施の形態１に係る高圧放電ランプについて、図９（ｂ）および（ｃ）におけるＸ−Ｘ断面の矢視図である。
【図１１】実施の形態２に係るプロジェクタの斜視図である。
【図１２】実施の形態２に係るプロジェクタの斜視図である。
【図１３】変形例に係る高圧放電ランプの断面図である。
【図１４】従来例に係る高圧放電ランプについて、発光管に導体を取り付ける工程を説明するための図である。
【発明を実施するための形態】
【００１１】
＜実施の形態１＞
＜１＞構成
本実施の形態に係る高圧放電ランプ１の側面図を図１に示す。
高圧放電ランプ（以下、単に「ランプ」と称する。）１は、発光管３と、一対の電極７，９と、一対の金属箔２３，２５と、一対の外部リード線２７，２９と、導体５１とを備える。ここで、電極７，９、金属箔２３，２５および外部リード線２７，２９から一対の電極構造体が構成される。
【００１２】
＜発光管＞
発光管３は、石英ガラス等の透光性材料から形成されている。発光管３は、外形が回転楕円体形状を有し内部に放電空間５が形成された発光部６と、発光部６の長手方向における両側から互いに離れる方向に延伸する円柱状の封止部１１，１３とを備える。ここで、発光部６の回転楕円体形状および封止部１１，１３の円柱形状は、中心軸Ｊ１が共通している。以下、この中心軸Ｊ１を発光管３の中心軸Ｊ１と称する。放電空間５の内部には、発光物質である水銀と、始動補助材として機能するアルゴン、クリプトン、キセノン等の希ガスと、放電空間５内でハロゲンサイクルを実現するために必要となるヨウ素や臭素等のハロゲンガスとが封入されている。一例として、水銀の封入量は１５０ｍｇ／ｃｍ３以上６５０ｍｇ／ｃｍ３の範囲内で、アルゴンの封入量（２５℃）は０．０１ＭＰａ以上１ＭＰａ以下の範囲内で、臭素の封入量は１×１０−１０ｍｏｌ／ｃｍ３以上１×１０−４ｍｏｌ／ｃｍ３以下の範囲内で、好ましくは１×１０−９ｍｏｌ／ｃｍ３以上１×１０−５ｍｏｌ／ｃｍ３以下の範囲内でそれぞれ設定される。
【００１３】
＜電極＞
電極７，９は、棒状であり、一端部が発光部６の内部に形成された放電空間５内に位置している。また、第１，第２電極７，９は、放電空間５内において所定の距離（以下、「電極間距離」と称する。）Ｌだけ離間した状態で対向配置されている。この電極間距離Ｌは、ランプ１の光取り出し効率向上の観点からすれば０．５ｍｍ乃至１．５ｍｍの範囲に設定するのがより好ましい。この電極７，９は、タンクステンから形成されている。
【００１４】
電極７，９の一部を拡大した図を図２に示す。
電極７，９は、細長の小径部７１，９１と、小径部７１，９１の長手方向における互いに対向する側で連続し且つ小径部７１，９１に比べて径が大きい大径部７２，９２と、大径部７２，９２それぞれにおける小径部７１，９１に連続する側とは反対側に位置する先端７３，９３とを有する。ここで、電極７，９は、棒状部材の先端にコイルを巻回した状態で、棒状部材の先端とコイルの一部とを溶融することにより形成されている。そして、小径部７１，９１は、上記棒状部材におけるコイルが巻回されていない部位からなり、大径部７２，９２は、コイルのうち溶融されていない部位とその中央部に位置する棒状部材の一部からなる。先端７３，９３は、略半球状に溶融形成された部位からなる。また、先端７３，９３には、ランプ１の点灯中のハロゲンサイクルに起因して突起部７４，９４が形成されている。具体的には、ランプ１の点灯中、電極７，９を構成するタングステンが電極７，９の一部から蒸発してハロゲン化合物となった後、当該ハロゲン化合物が電極７，９の先端７３，９３の頂部近傍に戻ったときにタングステンとして堆積することにより、突起部７４，９４が形成される。この突起部７４，９４は、ランプ１の製造工程の一部であるエージング試験の際に形成される。上記電極間距離Ｌは、突起部７４，９４間の距離に相当する。
【００１５】
なお、電極７，９の先端７３，９３は、略半球状に限らず、例えば、略球状や略円錐状であってもよい。また、先端７３，９３の形成方法は、棒状部材の先端とコイルの一部とを溶融することにより形成する方法に限定されるものではなく、例えば、予め略半球状、略球状または略円錐状に加工された部材を準備し、当該部材を棒状部材の先端に固着することにより形成する方法でもよい。
【００１６】
＜金属箔＞
図１に示すように、金属箔２３，２５は、封止部１１，１３それぞれに封止され、第１，第２電極７，９の他端部に接続されている。金属箔２３，２５は、モリブデン等の金属から形成されている。金属箔２３，２５と電極７，９との接続は、例えば、溶接等により行われる。
【００１７】
＜外部リード線＞
外部リード線２７，２９の一端部は、金属箔２３，２５それぞれに接続されている。外部リード線２７，２９は、モリブデン等の金属から形成されている。外部リード線２７，２９の一端部と金属箔２３，２５との接続は、例えば、溶接等により行われる。外部リード線２７，２９の他端部は、封止部１１，１３から外部に導出され、外部電源（図示せず）に電気的に接続されている。
【００１８】
＜導体＞
導体５１は、ランプ１の始動に必要な電圧（以下、「始動電圧」と称する。）を低減するためのものである。
導体５１は、例えば、外径が０．１ｍｍ以上且つ２．０ｍｍ以下の線状部材からなる。この導体５１を構成する材料としては、例えば、鉄とクロムの合金やモリブデン等の金属材料を採用することができる。また、本実施の形態では、導体５１の断面形状が円形である例について説明するが、断面形状は円形に限定されるものではなく、多角形等であってもよい。また、導体５１は、全体が線状部材からなる必要はなく、少なくとも封止部１１の外面に接触する部分のみが線状になっていればよく、その他の部分が例えば帯板状になっていてもよい。
【００１９】
導体５１は、線輪部５１ａと、延出部５１ｂと、延長線部５１ｃとからなる。
線輪部５１ａは、螺旋状に形成され、封止部１１の外側に配置される。この線輪部５１ａの中心軸Ｊ２は、発光管３の中心軸Ｊ１と平行である。また、線輪部５１ａは、封止部１１の周りを２．５ターン周回している。なお、線輪部５１ａのターン数は、２．５ターンに限定されるものではなく、例えば、３ターン以上でもよいし、０．５ターンより大きく且つ２．５ターン未満であってもよい。
【００２０】
延出部５１ｂは、一端が線輪部５１ａの一端に連続し発光部６を跨ぐように屈曲してなる屈曲部５１ｄと、屈曲部５１ｄの他端から封止部１３の外面に沿って外部リード線２９まで延出している主部５１ｅとからなる。ここで、主部５１ｅの先端分が外部リード線２９に巻回されている。これにより、導体５１と電極９とが、外部リード線２９および金属箔２５を介して電気的に接続されている。
【００２１】
延長線部５１ｃは、線輪部５１ａの他端から線輪部５１ａの中心軸Ｊ２に向かって延伸し先端が封止部１１のうち内部に金属箔２３が位置する部位（図１中の部位ＡＲ参照）の外面に接触している。ここで、「部位ＡＲ」とは、封止部１１において、金属箔２３の長手方向における一端縁を含み且つ発光管３の中心軸Ｊ１に直交する仮想平面Ｓ２と、金属箔２３の長手方向における他端縁を含み且つ発光管３の中心軸Ｊ１に直交する仮想平面Ｓ３とで挟まれた領域内に位置する部位に相当する。
【００２２】
また、延長線部５１ｃの先端が、線輪部５１ａの他端を含み且つ線輪部５１ａの中心軸Ｊ２に直交する仮想平面（直交仮想平面）Ｓ１に対して線輪部５１ａ側とは反対側に位置するように傾斜している。
ところで、導体５１の延長線部５１ｃを、封止部１１の外面のうち、金属箔２３が位置する部位ＡＲ以外の部位、例えば、電極７や外部リード線２７が位置する部位に接触させることが考えられる。
【００２３】
しかしながら、この場合、封止部１１と、電極７や外部リード線２７との間には、若干の隙間が生じているので、その分、電極７と外部リード線２７と延長線部５１ｃの先端との間に強い電界が生じにくい。
従って、導体５１の延長線部５１ｃが部位ＡＲに接触している場合に比べて、ランプ１の始動電圧低減効果が得られにくい。
【００２４】
ここで、ランプ１の一部を拡大した側面図を図３（ａ）に示し、図３（ａ）におけるＸ−Ｘ断面における矢視図を図３（ｂ）に示し、図３（ａ）における一点鎖線で囲んだ部分の拡大図を図３（ｃ）に示す。なお、図３（ｂ）において、導体５１の一部と発光部６の図示は省略している。
図３（ａ）において、ランプ１の側面からみたときの延長線部５１ｃの仮想平面Ｓ１に対する傾斜角（Ｓ１と直線ＶＰとがなす角）は、０°超９０°未満に設定してもよいが、好ましくは、１５°以上７５°以下、より好ましくは２５°以上６０°以下である。例えば、本実施の形態において、線輪部５１ａを仮想平面Ｓ１と平行な方向からみた平面図において、Ｓ１と仮想直線ＵＰとがなす角を８°であるとき、直線ＵＰと直線ＶＰとがなす角は４５°となるように傾けることにより、傾斜角を３７°に設定することができる。
【００２５】
なお、本実施の形態では、延長線部５１ｃの先端が、封止部１１の外面に接触している例について説明したが、これに限定されるものではなく、延長線部５１ｃの先端が、封止部１１の外面における一点のみに近接配置されているものであってもよい。ここにおいて、「近接」とは、延長線部５１ｃの先端と封止部１１の外面との間の最短距離が０．３ｍｍ以下であることを意味する。
【００２６】
また、導体５１では、延長線部５１ｃの先端Ｖが、線輪部５１ａの中心軸Ｊ２および線輪部５１ａの上記他端Ｐを含む仮想平面内に位置している。
ここで、ランプ１における導体５１の機能について説明する。
まず、電極７，９の間に高周波電圧（例えば、周波数が１０ｋＨｚ以上１０ＭＨｚ以下の範囲内から選択される高周波電圧）が印加されると、電極９と電気的に接続されている導体５１の延長線部５１ｃと金属箔２３との間に介在する、封止部１１を構成するガラスが誘電分極する。このとき、封止部１１の外面における、導体５１の延長線部５１ｃが接触している箇所において電界集中が生じる。すると、延長線部５１ｃの先端から電子が放出される。このとき、延長線部５１ｃと金属箔２３との間に印加される電圧が、例えば、１．５ｋＶ乃至２．０ｋＶであっても、延長線部５１ｃからの電子放出が起こる。すると、その放出された電子によって、延長線部５１ｃと封止部１１の外面との間に介在する空気中の窒素が電離し、沿面放電やコロナ放電が引き起こされる。このとき、延長線部５１ｃと封止部１１の外面との間に介在する空気から、波長１００ｎｍ乃至４００ｎｍの紫外線が放射される。この紫外線が、封止部１１を透過して放電空間５内に封入されている発光物質等に照射されることにより、放電空間５内の光電子が増大する。このように、放電空間５内の光電子が増大することにより、電極７，９間の絶縁破壊が促進され、その結果、ランプ１の始動電圧が低下する。
【００２７】
次に、本実施の形態に係るランプ１と、比較例に係るランプ１００１とを比較しながら説明する。
比較例に係るランプ１００１の一部を拡大した図を図４（ａ）に示し、図４（ａ）における一点鎖線で囲んだ部分の拡大図を図４（ｂ）に示す。
図４（ａ）に示すように、比較例に係るランプ１００１は、導体１０５１の延出部１０５１ｂの形状と、延長線部１０５１ｃの形状とが実施の形態１に係るランプ１とは相違する。なお、図４（ａ）および（ｂ）において、実施の形態１と同様の構成については同一の符号を付して適宜説明を省略する。
【００２８】
図４（ａ）に示すように、比較例に係るランプ１００１では、導体１０５１の延長線部１０５１ｃの延伸方向が、発光管３の中心軸Ｊ１に対して直交している。つまり、延長線部１０５１ｃは、線輪部５１ａの他端を含み、線輪部５１ａの中心軸Ｊ２に直交する仮想平面Ｓ１内を延伸している。そして、延長線部１０５１ｃが、細長の円柱状であり且つ先端に延長線部１０５１ｃの中心軸に対して直交する面が形成されており、図４（ｂ）に示すように、延長線部１０５１ｃの先端に形成された面が封止部１１の外面に略面接触した状態となっている。
【００２９】
また、図４に示すように、比較例に係るランプ１００１では、延出部１０５１ｂが略直線状に延伸しており、延出部１０５１ｂのうち封止部１３に対向する部位が、封止部１３の外面から離間した位置にある。
これに対して、図３（ａ）に示すように、本実施の形態に係るランプ１の延出部５１ｂは、屈曲部５１ｄが発光部６を跨ぐように設定され、主部５１ｅが封止部１３の外面に沿って配置されている。これにより、ランプ１を収納するのに必要な空間を、比較例に係るランプ１００１に比べて小さくすることができる。
【００３０】
本実施の形態に係るランプ１を用いたランプユニット４６の一部破断した斜視図を図５に示す。
ランプユニット４６は、ランプ１と、ランプ１の封止部１１に装着される有底円筒状の口金４２と、内側にランプ１が配置される略椀状の反射鏡４４とを備える。
口金４２の底部には、ランプ１の外部リード線２７に電気的に接続された電源接続用端子４２ａが突設されている。
【００３１】
反射鏡４４の内面は、例えば、回転放物面状に形成されており、多層干渉膜等が蒸着されている。また、反射鏡４４の略中央部には、貫通孔４４ａが設けられており、当該貫通孔４４ａの内側には口金４２が配置されている。そして、口金４２は、接着剤４８により反射鏡４４に固着されている。ここにおいて、ランプ１の発光管３の中心軸Ｊ１が、反射鏡４４の光軸に略一致している。
【００３２】
また、反射鏡４４における周縁部近傍の一部には、貫通孔４４ｂが設けられており、ランプ１の外部リード線２９に接続された電力供給線４９が挿通されている。
なお、図５に示す構成のランプユニット４６では、発光管３の封止部１１側が口金４２の内側に配置されているが、発光管３の配置はこれに限定されるものではなく、例えば、封止部１３側が口金４２の内側に配置されるものであってもよい。この場合、ランプ１は、導体５１の延出部５１ｂが封止部１３の外面に沿って配置されている分、図４に示す比較例に係るランプ１００１に比べて、封止部１３および延出部５１ｂを収納するのに必要な空間が小さい。従って、ランプ１を用いたランプユニットは、比較例に係るランプ１００１を用いたランプユニットに比べて口金４２を小型化できる。
【００３３】
＜２＞ランプの組み立て方法について
次に、ランプ１の組み立て方法について説明する。ここでは、特に、発光管３に導体５１を取り付ける工程について説明する。
まず、導体５１の詳細について説明する。
発光管３に取り付ける前の導体５１の斜視図を図６（ａ）に示し、導体５１の一部拡大図を図６（ｂ）に示す。
【００３４】
図６（ａ）に示すように、発光管３に取り付ける前の導体５１は、主部５１ｅが直線状に延伸している。そして、図６（ｂ）に示すように、この主部５１ｅの延伸方向は、線輪部５１ａの中心軸Ｊ２に対して角度φだけ中心軸Ｊ２から離れる方向に傾斜している。
また、延長線部５１ｃの先端Ｖと第２部位Ｗとを結ぶ仮想直線Ｌ１と、第１部位Ｕとの間の最短距離である第１距離Ａが、中心軸Ｊ２に直交する方向における、先端Ｖと第１部位Ｕとの間の第２距離Ｂに比べて長くなっている。ここで、第２部位Ｗは、線輪部５１ａの中心軸Ｊ２、延長線部５１ｃの先端Ｖおよび線輪部５１ａの上記他端Ｐを含む仮想平面で切って得られる断面において、線輪部５１ａのうち中心軸Ｊ２を挟んで先端Ｖが位置する側と同じ側に並ぶ複数の部位の中で延出部５１ｂに連続する線輪部５１ａの一端に最も近い部位に相当する。そして、仮想直線Ｌ１は、線輪部５１ａの中心軸Ｊ２に対して角度θだけ傾斜している。
【００３５】
線輪部５１ａの内側に発光管３の封止部１１を挿入する場合、第１距離Ａが第２距離Ｂに比べて長くなっていることにより、線輪部５１ａの中心軸Ｊ２に沿った方向に挿入するよりも中心軸Ｊ２から角度θだけ傾斜した方向に挿入したほうが発光管３に延長線部５１ｃが引っ掛かりにくい。具体的には、第１距離Ａと第２距離Ｂとの比（Ａ／Ｂ）が１以上であれば効果が現れはじめ、Ａ／Ｂが１．１以上であれば、作業性が向上することが経験的に判っている。
【００３６】
ここで、導体５１の形状と、第１距離Ａおよび第２距離Ｂとの関係について説明する。
導体５１の概略側面図を図７（ａ）に示し、導体５１の線輪部５１ａの上記他端Ｐと線輪部５１ａの中心軸Ｊ２とを含む仮想平面内において、導体５１の形状と先端Ｖ、第１部位Ｗおよび第２部位Ｕとの関係を模式的に示した図を図７（ｂ）に示す。
図７（ｂ）において、第２部位Ｕを通り且つ線輪部５１ａの中心軸Ｊ２に直交する線分と、第１部位Ｗを通り且つ線輪部５１ａの中心軸Ｊ２に平行な線分との交点を原点Ｏ（０，０）としている。そして、線輪部５１ａの径をＲとして、第１部位Ｗの座標をＷ（−Ｗ，０）、第２部位Ｕの座標をＵ（０，Ｒ）、先端Ｖの座標をＶ（ａ，Ｒ−Ｂ）としている。また、仮想直線Ｌ１と線分ＯＵとの交点をＱ（０，ｘ）、仮想直線Ｌ１と第２部位Ｕを通り且つ仮想直線Ｌに直交する線分との交点をＨとしている。
【００３７】
このとき、以下の式（１）乃至（３）が成立する。
【００３８】
【数１】
2014086371.tif 000003
・・・式（１）
【００３９】
【数２】
2014086371.tif 000004
・・・式（２）
【００４０】
【数３】
2014086371.tif 000005
・・・式（３）
【００４１】
式（３）において、α＝ａ／Ｂ、β＝Ｗ／Ｂ、γ＝Ｒ／Ｂとしている。比Ａ／Ｂを１以上とすることは、すなわち中心軸に対して斜め方向からみた線輪部開口を中心軸方向からみたものより大きくすることができることを意味する。
ここで、線輪部５１ａの径Ｒを６．８ｍｍ、第２距離Ｂを４．３ｍｍとし、第１部位Ｗと原点Ｏとの間の距離Ｗが１ｍｍ、２ｍｍ、３ｍｍ、５ｍｍ、８ｍｍそれぞれの場合において、Ａ／Ｂ（（第１距離）／（第２距離））の値の、線輪部５１ａの中心軸Ｊ２方向における原点Ｏと先端Ｖとの間の第３距離ａ依存性を示す図を図８に示す。
【００４２】
ここにおいて、線輪部５１ａの中心軸Ｊ２方向における、第１部位Ｗと第２部位Ｕとの間の距離Ｗを「線輪部長さ」とし、線輪部５１ａの中心軸Ｊ２方向における、第２部位Ｕと先端Ｖとの間の距離ａ、即ち、延長線部５１ｃの先端Ｖと仮想平面Ｓ１との間の距離ａを「第３距離」と称する。
線輪部長さＷが１ｍｍ、２ｍｍ、３ｍｍ、５ｍｍ、８ｍｍのいずれの場合においても、第３距離ａを２．５ｍｍ以上に設定すれば、Ａ／Ｂの値を１１０％以上、即ち、第１距離Ａが第２距離Ｂの１．１倍以上となるようにすることができる。以上、線輪部５１ａの径Ｒ、第２距離Ｂ、及び第１部位Ｗと原点Ｏとの間の距離Ｗを固定した場合においてＡ／Ｂの値の第３距離ａ依存性を説明したが、Ｒ、Ｂ、Ｗ、ａいずれの変数を固定して設計しても式（３）に基づいてＡ／Ｂの値をあらかじめ予測することができる。
【００４３】
次に、発光管３に導体５１を取り付ける工程について説明する。
発光管３に導体５１を取付ける方法は２つある。
第１の方法は、発光管３の封止部１１を線輪部５１ａにおける延長線部５１ｃ側とは反対側から線輪部５１ａの内側に、線輪部５１ａの中心軸Ｊ２方向に挿入する方法である。ここにおいて、延長線部５１ｃの先端が、線輪部５１ａにおける延長線部５１ｃに連続する一端を含み且つ線輪部５１ａの中心軸に直交する仮想平面Ｓ１に対して線輪部５１ａ側とは反対側に位置するように傾斜している。これにより、発光管３の封止部１１を導体５１の線輪部５１ａの内側に挿入する際、封止部１１の延伸方向における端面を延長線部５１ｃの側面に接触した状態から延長線部５１ｃに対して線輪部５１ａの中心軸Ｊ２方向に力を加えると、その力の一部が延長線部５１ｃを線輪部５１ａの中心軸から遠ざかる方向に逃げ、延長線部５１ｃの先端と当該先端と線輪部５１ａの中心軸Ｊ２を挟んで対向する線輪部５１ａの内側との間の距離が広がるので、その分、延長線部５１ｃの先端が封止部１１の延伸方向における端面に引っ掛かりにくくなる。
【００４４】
従って、導体５１の発光管３への取り付けが容易になる。
第２の方法は、発光管３の封止部１１を線輪部５１ａにおける延長線部５１ｃ側とは反対側から線輪部５１ａの内側に、線輪部５１ａの中心軸Ｊ２方向とは交差する方向に挿入する方法である。以下、この第２の方法について詳細に説明する。
発光管３に導体５１を取り付ける工程を説明するための図を図９（ａ）乃至（ｄ）に示し、図９（ｂ）におけるＸ−Ｘ断面で見た矢視図を図１０（ａ）に示し、図９（ｂ）におけるＸ−Ｘ断面で見た矢視図を図１０（ｂ）に示す。
【００４５】
まず、図９（ａ）に示すように、導体５１の線輪部５１ａの中心軸Ｊ２が、発光管３の中心軸Ｊ１に対して角度θだけ傾斜した状態で、線輪部５１ａに発光管３の封止部１１側を挿入する。
次に、図９（ｂ）に示すように、線輪部５１ａが、発光管３の封止部１１と発光部６との間の境界部分近傍に位置するまで、線輪部５１ａを発光管３の中心軸Ｊ１に沿って移動させる。このとき、図１０（ａ）に示すように、第１距離Ａの長さが発光管３の封止部１１の径よりも長くなっているので、延長線部５１ｃの先端が封止部１１の外面に接触していない。これにより、導体５１の線輪部５１ａに発光管３の封止部１１を滑らかに挿入することができる。
【００４６】
その後、図９（ｃ）に示すように、延出部５１ｂの一部を構成する主部５１ｅを封止部１３の外面に近づける。すると、図１０（ｂ）に示すように、延長線部５１ｃの先端が封止部１１の外面に接触する。ここにおいて、延長線部５１ｃが封止部１１の外面に接触しない状態から、延出部５１ｂを封止部１１の外面に近づけていき、延長線部５１ｃの先端が封止部１１の外面に初めて接触した状態では、延出部５１ｂが封止部１１の外面から離間した状態となっている（図９（ｃ）の破線参照）。このとき、延出部５１ｂの延伸方向が発光管３の中心軸Ｊ１に対して角度φだけ傾斜した状態となっている。この状態から更に延出部５１ｂを封止部１１の外面に近づけて、封止部１１の外面に沿わせると（図９（ｃ）の矢印参照）、延長線部５１ｃの先端が封止部１１の外面に圧接される。これにより、延長線部５１ｃの先端を封止部１１の外面に確実に接触させることができる。
【００４７】
最後に、図９（ｄ）に示すように、主部５１ｅの先端分を外部リード線２９に巻回する。これにより、導体５１と電極９とが、外部リード線２９および金属箔２５を介して電気的に接続される。
＜３＞まとめ
結局、本実施の形態に係るランプ１では、延長線部５１ｃの先端が、線輪部５１ａにおける延長線部５１ｃに連続する一端を含み且つ線輪部５１ａの中心軸に直交する仮想平面Ｓ１に対して線輪部５１ａ側とは反対側に位置するように傾斜している。これにより、発光管３の封止部１１を導体５１の線輪部５１ａの他端側から線輪部５１ａの内側に挿入する際、封止部１１の延伸方向における端面を延長線部５１ｃの側面に接触した状態から延長線部５１ｃに対して線輪部５１ａの中心軸Ｊ２方向に力を加えると、その力の一部が延長線部５１ｃを線輪部５１ａの中心軸Ｊ２から遠ざける方向に作用する。このように、延長線部５１ｃを線輪部５１ａの中心軸Ｊ２から遠ざける方向に作用する力が生じることにより、延長線部５１ｃの先端と当該先端と線輪部５１ａの中心軸Ｊ２を挟んで対向する線輪部５１ａの内側との間の距離が広がるので、その分、延長線部５１ｃの先端が封止部１１の延伸方向における端面に引っ掛かりにくくなっている。従って、ランプ１の組立作業を行う作業者にとって、発光管３を線輪部５１ａに挿入する作業が容易になるので、その分、組み立ての容易化を図ることができる。
【００４８】
また、本実施の形態に係る導体５１は、線輪部５１ａの中心軸Ｊ２および線輪部５１ａの上記他端Ｐを含む仮想平面内において、延長線部５１ｃの先端Ｖと第２部位Ｗとを結ぶ仮想直線Ｌ１と、第１部位Ｕとの間の最短距離である第１距離Ａが、中心軸Ｊ２に直交する方向における、先端Ｖと第１部位Ｕとの間の第２距離Ｂに比べて長くなっている。
従って、線輪部５１ａの内側に発光管３の封止部１１を挿入する場合、線輪部５１ａの中心軸Ｊ２から角度θだけ傾斜した方向に挿入すれば、発光管３の封止部１１に延長線部５１ｃがより引っ掛かりにくくなっている。従って、従って、ランプ１の組立作業を行う作業者にとって、発光管３を線輪部５１ａに挿入する作業の更なる容易化を図ることができる。
【００４９】
＜実施の形態２＞
本実施の形態に係るプロジェクタ１０１，２０１の斜視図を図１１および図１２に示す。
プロジェクタ１０１は、いわゆるフロントプロジェクタであり、その前方に設置したスクリーン（図示せず）に向けて画像を投影する機能を有する。
【００５０】
プロジェクタ１０１は、矩形箱状の筐体１０２と、筐体１０２内に収納されたランプユニット４６と、光学ユニット１０３と、制御ユニット１０４と、投射レンズ１０５と、冷却ファンユニット１０６と、電源ユニット１０７とを備える。なお、図１１では、筐体１０２の天板を取り除いた状態を示している。
光学ユニット１０３は、更に、入射光を偏光させて画像を形成する画像形成ユニット、画像形成ユニットからの出射光を合成する光合成ユニットおよびランプユニット４６から出射された光を画像形成ユニットに入射する照明ユニットを有している。
【００５１】
照明ユニットは、３色のカラーフィルタ等（図示せず）を有し、ランプユニット４６から出射された光を３原色に分解して画像形成ユニットに入射する。そして、光合成ユニットが、画像形成ユニットから３原色に分解されて出射される光を合成することにより、フルカラーの画像を生成する。制御ユニット１０４は、光学ユニット１０３の一部を構成する画像形成ユニットおよび光合成ユニットを制御する。
【００５２】
投射レンズ１０５は、光学ユニット１０３で生成された画像を拡大して投射する。
電源ユニット１０７は、商用電源から供給される電力を、制御ユニット１０４やランプユニット４６に適した電力に変換して制御ユニット１０４およびランプユニット４６それぞれに供給する。
また、図１２に示すように、プロジェクタ２０１は、いわゆるリアプロジェクタであり、ランプユニット４６、光学ユニット、投射レンズ、ミラーおよび点灯装置（いずれも図示せず）等が筐体２０２内に収納されている。
【００５３】
投射レンズから投射されミラーで反射された画像が、透過式スクリーン２０３の裏側から投影される。
＜変形例＞
（１）実施の形態１では、延長線部５１ｃの延伸方向と線輪部５１ａにおける延長線部４５１ｃに連続する端部と発光管３の中心軸Ｊ１とを結ぶ仮想直線Ｌ２とが一致している例について説明したが、これに限定されるものではなく、例えば、延長線部の延伸方向が、上記仮想直線Ｌ２に対して傾斜しているものであってもよい。
【００５４】
本変形例に係るランプの一部の断面図を図１３に示す。
線輪部５１ａの中心軸Ｊ２に沿った方向から見て、延長線部５１ｃの延伸方向は、線輪部５１ａの上記他端および線輪部５１ａの中心軸Ｊ２を含む仮想平面（平行仮想平面）Ｓ５に対して角度δだけ傾斜している。
本構成によれば、延長線部４５１ｃの先端を発光管３の外面に圧接する際、延長線部４５１ｃの先端から発光管３の外面に加わる力の一部を発光管３の中心軸Ｊ１周りに周回する方向へ逃がすことができる。従って、延長線部４５１ｃの先端から発光管３に加わるストレスを緩和することができるので、発光管３の破損等を抑制することができる。
【００５５】
（２）実施の形態１では、線輪部５１ａの中心軸Ｊ２および線輪部５１ａの上記他端Ｐを含む仮想平面内において、線輪部５１ａのうち延長線部５１ｃに連続する一端と、延出部５１ｂに連続する他端Ｐとが、中心軸Ｊ２に対して互いに反対側に位置する例について説明したが、これに限定されるものではなく、線輪部５１ａの上記一端と上記他端とが、中心軸Ｊ２に対して同じ側に位置するものであってもよい。
【符号の説明】
【００５６】
１      高圧放電ランプ（ランプ）
３      発光管
５      放電空間
６      発光部
７，９  電極
１１，１３  封止部
２３，２５  金属箔
２７，２９  外部リード線
４６      ランプユニット
５１      導体
５１ａ    線輪部
５１ｂ    延出部
５１ｃ，４５１ｃ  延長線部
５１ｄ    屈曲部
５１ｅ    主部
１０１，２０１    プロジェクタ
【図１】
2014086371.tif 000009
【図２】
2014086371.tif 000010
【図３】
2014086371.tif 000011
【図４】
2014086371.tif 000012
【図５】
2014086371.tif 000013
【図６】
2014086371.tif 000014
【図７】
2014086371.tif 000015
【図８】
2014086371.tif 000016
【図９】
2014086371.tif 000017
【図１０】
2014086371.tif 000018
【図１１】
2014086371.tif 000019
【図１２】
2014086371.tif 000020
【図１３】
2014086371.tif 000021
【図１４】
2014086371.tif 000022
【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
内部に放電空間が形成された発光部および当該発光部から互いに離れる方向に延出する一対の封止部を有する発光管と、電極および当該電極における前記放電空間内に位置する一端とは反対側の他端に接続された金属箔を有し前記一対の封止部それぞれの内部に少なくとも前記金属箔が封止された状態で配置された一対の電極構造体と、一方の封止部の外周に巻回された螺旋状の線輪部および前記線輪部の一端から延出し且つ前記発光部の外周を迂回して他方の封止部に封止された電極構造体に接続された延出部を有する始動電圧低減用の導体とを備える高圧放電ランプであって、
前記導体の前記線輪部の他端に、前記線輪部の中心軸に向かいながら、前記線輪部の中心軸に直交する直交仮想平面に対して前記線輪部から遠ざかる方向に傾斜した延長線部が連設され、当該延長線部の先端が前記一方の封止部における前記金属箔が内部に封止された部位の表面に接触または近接している
ことを特徴とする高圧放電ランプ。
【請求項２】
前記延長線部の先端は、前記線輪部の中心軸および前記線輪部の他端を含む前記中心軸に平行な平行仮想平面内に位置し、
前記平行仮想平面で切って得られる断面において前記線輪部のうち前記中心軸を挟んで前記他端が位置する側とは反対側に並ぶ複数の部位の中で前記先端に最も近い部位を第１部位とし、
前記平行仮想平面で切って得られる断面において前記線輪部のうち前記中心軸を挟んで前記先端が位置する側と同じ側に並ぶ複数の部位の中で前記線輪部の一端に最も近い部位を第２部位とした場合において、
前記延長線部の先端と前記第２部位とを結ぶ仮想直線と前記第１部位との間の最短距離である第１距離をＡとし、
前記先端と前記第１部位との間の、前記中心軸に直交する方向における第２距離をＢとし、
前記第１部位と前記先端との間の、前記中心軸に沿った方向における距離をａとし、
前記第１部位と前記第２部位との間の、前記中心軸に沿った方向における距離をＷとし、
前記線輪部の内径をＲとしたときに、
下記式（Ａ）の関係式が成立する
【数４】
2014086371.tif 000023
ことを特徴とする請求項１記載の高圧放電ランプ。
【請求項３】
下記式（Ｂ）の関係式が成立する
【数５】
2014086371.tif 000024
ことを特徴とする請求項２記載の高圧放電ランプ。
【請求項４】
前記延出部の一部は、前記封止部の外面に沿って配置されている
ことを特徴とする請求項１乃至３のいずれか１項に記載の高圧放電ランプ。
【請求項５】
前記延長線部は、円柱状であり且つ先端に前記延長線部の中心軸に対して直交する面が形成されてなる
ことを特徴とする請求項１乃至４のいずれか１項に記載の高圧放電ランプ。
【請求項６】
前記線輪部の中心軸に沿った方向から見て、前記延長線部は、前記線輪部の中心軸および前記線輪部の他端を含む前記中心軸に平行な平行仮想平面に対して傾斜している
ことを特徴とする請求項１乃至５のいずれか１項に記載の高圧放電ランプ。
【請求項７】
請求項１乃至６のいずれか１項に記載の高圧放電ランプを備える
ことを特徴とするプロジェクタ。
【手続補正２】
【補正対象書類名】明細書
【補正対象項目名】００２８
【補正方法】変更
【補正の内容】
【００２８】
図４（ａ）に示すように、比較例に係るランプ１００１では、導体１０５１の延長線部１０５１ｃの延伸方向が、発光管３の中心軸Ｊ１に対して直交している。つまり、延長線部１０５１ｃは、線輪部５１ａの他端を含み、線輪部５１ａの中心軸Ｊ２に直交する仮想平面Ｓ１内を延伸している。そして、延長線部１０５１ｃが、細長の円柱状であり且つ先端に延長線部１０５１ｃの中心軸に対して直交する面が形成されており、図４（ｂ）に示すように、延長線部１０５１ｃの先端に形成された面が封止部１１の外面に略面接触した状態となっている。
一方、図３（ａ）に示すように、本実施の形態に係るランプ１では、導体５１の延長線部５１ｃの延伸方向が、封止部１１の中心軸に対して傾斜している。従って、図３（ｃ）に示すように、延長線部５１ｃの先端の周縁の略一点が封止部１１の外面に接触した状態となっている。つまり、ランプ１における、延長線部５１ｃの先端と封止部１１の外面との接触面積は、比較例に係るランプ１００１における、延長線部１０５１ｃの先端と封止部１１の外面との接触面積に比べて極めて小さくなっている。
【手続補正３】
【補正対象書類名】明細書
【補正対象項目名】００３６
【補正方法】変更
【補正の内容】
【００３６】
ここで、導体５１の形状と、第１距離Ａおよび第２距離Ｂとの関係について説明する。
導体５１の概略側面図を図７（ａ）に示し、導体５１の線輪部５１ａの上記他端Ｐと線輪部５１ａの中心軸Ｊ２とを含む仮想平面内において、導体５１の形状と先端Ｖ、第１部位Ｕおよび第２部位Ｗとの関係を模式的に示した図を図７（ｂ）に示す。
図７（ｂ）において、第１部位Ｕを通り且つ線輪部５１ａの中心軸Ｊ２に直交する線分と、第２部位Ｗを通り且つ線輪部５１ａの中心軸Ｊ２に平行な線分との交点を原点Ｏ（０，０）としている。そして、線輪部５１ａの径をＲとして、第２部位Ｗの座標をＷ（−Ｗ，０）、第１部位Ｕの座標をＵ（０，Ｒ）、先端Ｖの座標をＶ（ａ，Ｒ−ｒ）としている。また、仮想直線Ｌ１と線分ＯＵとの交点をＱ（０，ｘ）、仮想直線Ｌ１と第１部位Ｕを通り且つ仮想直線Ｌ１に直交する線分との交点をＨとしている。ここで、ｒはＢに等しい。
【手続補正４】
【補正対象書類名】明細書
【補正対象項目名】００４１
【補正方法】変更
【補正の内容】
【００４１】
式（３）において、α＝ａ／Ｂ、β＝Ｗ／Ｂ、γ＝Ｒ／Ｂとしている。比Ａ／Ｂを１以上とすることは、すなわち中心軸に対して斜め方向からみた線輪部開口を中心軸方向からみたものより大きくすることができることを意味する。
ここで、線輪部５１ａの径Ｒを６．８ｍｍ、第２距離Ｂを４．３ｍｍとし、第２部位Ｗと原点Ｏとの間の距離Ｗが１ｍｍ、２ｍｍ、３ｍｍ、５ｍｍ、８ｍｍそれぞれの場合において、Ａ／Ｂ（（第１距離）／（第２距離））の値の、線輪部５１ａの中心軸Ｊ２方向における原点Ｏと先端Ｖとの間の第３距離ａ依存性を示す図を図８に示す。
【手続補正５】
【補正対象書類名】明細書
【補正対象項目名】００４２
【補正方法】変更
【補正の内容】
【００４２】
ここにおいて、線輪部５１ａの中心軸Ｊ２方向における、第１部位Ｕと第２部位Ｗとの間の距離Ｗを「線輪部長さ」とし、線輪部５１ａの中心軸Ｊ２方向における、第１部位Ｕと先端Ｖとの間の距離ａを「第３距離」と称する。
線輪部長さＷが１ｍｍ、２ｍｍ、３ｍｍ、５ｍｍ、８ｍｍのいずれの場合においても、第３距離ａを２．５ｍｍ以上に設定すれば、Ａ／Ｂの値を１１０％以上、即ち、第１距離Ａが第２距離Ｂの１．１倍以上となるようにすることができる。以上、線輪部５１ａの径Ｒ、第２距離Ｂ、及び第２部位Ｗと原点Ｏとの間の距離Ｗを固定した場合においてＡ／Ｂの値の第３距離ａ依存性を説明したが、Ｒ、Ｂ、Ｗ、ａいずれの変数を固定して設計しても式（３）に基づいてＡ／Ｂの値をあらかじめ予測することができる。
【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
内部に放電空間が形成された発光部および当該発光部から互いに離れる方向に延出する一対の封止部を有する発光管と、電極および当該電極における前記放電空間内に位置する一端とは反対側の他端に接続された金属箔を有し前記一対の封止部それぞれの内部に少なくとも前記金属箔が封止された状態で配置された一対の電極構造体と、一方の封止部の外周に巻回された螺旋状の線輪部および前記線輪部の一端から延出し且つ前記発光部の外周を迂回して他方の封止部に封止された電極構造体に接続された延出部を有する始動電圧低減用の導体とを備える高圧放電ランプであって、
前記導体の前記線輪部の他端に、前記線輪部の中心軸に向かいながら、前記線輪部の中心軸に直交する直交仮想平面に対して前記線輪部から遠ざかる方向に傾斜した延長線部が連設され、当該延長線部の先端が前記一方の封止部における前記金属箔が内部に封止された部位の表面に接触または近接している
ことを特徴とする高圧放電ランプ。
【請求項２】
前記延長線部の先端は、前記線輪部の中心軸および前記線輪部の他端を含む前記中心軸に平行な平行仮想平面内に位置し、
前記平行仮想平面で切って得られる断面において前記線輪部のうち前記中心軸を挟んで前記他端が位置する側とは反対側に並ぶ複数の部位の中で前記先端に最も近い部位を第１部位とし、
前記平行仮想平面で切って得られる断面において前記線輪部のうち前記中心軸を挟んで前記先端が位置する側と同じ側に並ぶ複数の部位の中で前記線輪部の一端に最も近い部位を第２部位とした場合において、
前記延長線部の先端と前記第２部位とを結ぶ仮想直線と前記第１部位との間の最短距離である第１距離をＡとし、
前記先端と前記第１部位との間の、前記中心軸に直交する方向における第２距離をＢとし、
前記第１部位と前記先端との間の、前記中心軸に沿った方向における距離をａとし、
前記第１部位と前記第２部位との間の、前記中心軸に沿った方向における距離をＷとし、
前記線輪部の内径をＲとしたときに、
下記式（Ａ）の関係式が成立する
【数４】
2014086371.tif 000025
ことを特徴とする請求項１記載の高圧放電ランプ。
【請求項３】
下記式（Ｂ）の関係式が成立する
【数５】
2014086371.tif 000026
ことを特徴とする請求項２記載の高圧放電ランプ。
【請求項４】
前記延出部の一部は、前記封止部の外面に沿って配置されている
ことを特徴とする請求項１乃至３のいずれか１項に記載の高圧放電ランプ。
【請求項５】
前記延長線部は、円柱状であり且つ先端に前記延長線部の中心軸に対して直交する面が形成されてなる
ことを特徴とする請求項１乃至４のいずれか１項に記載の高圧放電ランプ。
【請求項６】
前記線輪部の中心軸に沿った方向から見て、前記延長線部は、前記線輪部の中心軸および前記線輪部の他端を含む前記中心軸に平行な平行仮想平面に対して傾斜している
ことを特徴とする請求項１記載の高圧放電ランプ。
【請求項７】
請求項１乃至６のいずれか１項に記載の高圧放電ランプを備える
ことを特徴とするプロジェクタ。